(57)【特許請求の範囲】
【請求項１】
外枠筐体内に設けられ、洗濯水を溜める円筒形状の外槽と、前記外槽内に回転自在に設けられた洗浄ドラム槽と、前記洗浄ドラム槽の内周に設けられ、前記洗浄ドラム槽内の洗濯物を掻き上げては落とすリフターと、前記洗浄ドラム槽を回転駆動する電動機と、を有し、
前記リフターは、前側にあって、前記洗浄ドラム槽の回転軸中心と略垂直方向に沿って形成される前面部と、後側にあって、前記洗浄ドラム槽の回転軸中心と略垂直方向に沿って形成される背面部と、前記洗浄ドラム槽の回転軸中心と平行であって前記リフターの頂部分に位置する頂部と、前記頂部を挟んで対抗する形で配置され、前記頂部から前記洗浄ドラム槽の面に向かって傾斜する傾斜面を有する側面部と、を備え、
前記洗浄ドラム槽の回転軸中心線と前記外枠筐体の地面設置面とのなす角度が０°以上９°以下であり、
前記前面部の前記洗浄ドラム槽の回転の周方向の長さは、前記背面部の前記洗浄ドラム槽の回転の周方向の長さよりも長く、
前記側面部は、前記前面部と前記背面部の間に配置され、真上から見て前記前面部から前記背面部にわたって徐々に細くなる曲面形状であり、
前記前面部の前記洗浄ドラム槽の回転の径方向の高さは、前記背面部の前記洗浄ドラム槽の回転の径方向の高さよりも高いことを特徴とするドラム式洗濯機。
【発明の詳細な説明】
【技術分野】
【０００１】
本発明は、ドラム式洗濯機に関する。
【背景技術】
【０００２】
衣類が落下する時のエネルギーを利用するたたき洗いを主な洗い方とするドラム式洗濯機において、衣類を持ち上げるためのリフター（バッフル）をドラム回転軸中心線と並行に複数個配置するのが一般的である。
【０００３】
特許文献１には「円筒形に形成されその回転軸心が背面側から正面側に向けて上向き傾斜となる回転ドラム２と、回転ドラム２を内包する水槽３と、回転ドラム２の内周面に突出して設けたバッフル４とを備え、バッフル４の頂上部４ｃは、回転ドラム２の内周面に対し回転ドラム２の背面側から正面側に向けて高さが低くなるように形成され、バッフル４の側面４ａ、４ｂは、回転ドラム２の径方向に対し所定の角度を有する平面状とすることにより、回転ドラム２を回転させると、洗濯物には回転ドラム２内で斜め前方向に持ち上げられる作用が及ぶため、洗濯物の前後位置の入れ替わりがよくなり、洗いむらが少なく、洗浄性能を向上させることができる。」と記載されている。
【先行技術文献】
【特許文献】
【０００４】
【特許文献１】特開２００６−７５４７９号公報
【発明の概要】
【発明が解決しようとする課題】
【０００５】
しかしながら、ドラムの傾斜角度が水平に近づくと（例えば、ドラム回転軸中心線と筐体の地面設置面とのなす角度が０°〜９°）、特許文献１の構成では、洗濯物が正面側に偏やすくなり、例えば、ドアガラスとバランスリングの間に洗濯物が挟まりやすくなる。その結果、洗い工程における洗濯物の撹拌が不十分となり、洗いむらが大きく、洗浄性能が下がってしまう。
【０００６】
そこで、本発明は、洗いむらを抑制し、洗浄性能を向上させたドラム式洗濯機を提供することを課題とする。
【課題を解決するための手段】
【０００７】
本発明のドラム式洗濯機は、その一例として、外枠筐体内に設けられ、洗濯水を溜める円筒形状の外槽と、前記外槽内に回転自在に設けられた洗浄ドラム槽と、前記洗浄ドラム槽の内周に設けられ、前記洗浄ドラム槽内の洗濯物を掻き上げては落とすリフターと、前記洗浄ドラム槽を回転駆動する電動機と、を有し、前記リフターは、前側にあって、前記洗浄ドラム槽の回転軸中心と略垂直方向に沿って形成される前面部と、後側にあって、前記洗浄ドラム槽の回転軸中心と略垂直方向に沿って形成される背面部と、前記洗浄ドラム槽の回転軸中心と平行であって前記リフターの頂部分に位置する頂部と、前記頂部を挟んで対抗する形で配置され、前記頂部から前記洗浄ドラム槽の面に向かって傾斜する傾斜面を有する側面部と、を備え、前記洗浄ドラム槽の回転軸中心線と前記外枠筐体の地面設置面とのなす角度が０°以上９°以下であり、前記前面部の前記洗浄ドラム槽の回転の周方向の長さは、前記背面部の前記洗浄ドラム槽の回転の周方向の長さよりも長く、前記側面部は、前記前面部と前記背面部の間に配置され、真上から見て前記前面部から前記背面部にわたって徐々に細くなる曲面形状であり、前記前面部の前記洗浄ドラム槽の回転の径方向の高さは、前記背面部の前記洗浄ドラム槽の回転の径方向の高さよりも高いことを特徴とする。
【発明の効果】
【０００８】
本発明によれば、洗いむらを抑制し、洗浄性能を向上させたドラム式洗濯機を提供することが可能な洗濯機を提供できる。
【図面の簡単な説明】
【０００９】
【図１】本発明の実施例に係わるドラム式洗濯機の概要を示す図である。
【図２（ａ）】洗浄ドラム槽を投入口側から見た図である。
【図２（ｂ）】洗浄ドラム槽を側面から見た図である。
【図３（ａ）】リフター１６を前側上方から見た斜視図である。
【図３（ｂ）】リフター１６を後側（背面側）上方から見た斜視図である。
【図３（ｃ）】リフター１６を前側から見た図である。
【図３（ｄ）】リフター１６を後側から見た図である。
【図３（ｅ）】リフター１６を真上から見た図である。
【図３（ｆ）】リフター１６を側面から見た図である。
【図４】洗浄ドラム槽と衣類の動きを示す図である。
【図５】本発明の実施例に係わる洗濯運転工程示す図である。
【図６】本発明の実施例に係わるブロック回路図である。
【発明を実施するための形態】
【００１０】
本発明の実施例について、図面を引用して説明する。まず、図１を引用してドラム式洗濯機の概要から述べる。
【００１１】
ドラム式洗濯機は、外枠筐体１の内側に有底円筒形状の外槽２を有する。
【００１２】
外槽２は、複数個のサスペンション３により下方から支持される。また外槽２は、その上部から引きバネ４により吊り下げ支持される。
【００１３】
サスペンション３は、外槽２を含むほぼ全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１４】
サスペンション３の取付け位置は、特に脱水時の振動を低減する目的において外槽２のほぼ重心位置もしくは重心位置に対し前後５０ｍｍ範囲内に設けられる。
【００１５】
外槽２は、後端側が下になるように傾斜して設けられているので、サスペンション３を後側に位置させると、サスペンション３の高さが低くなり、サスペンション３のストロークが少なくなる。
【００１６】
このため、サスペンションの減衰機能を維持する上で、サスペンション３の取付け位置は外槽２のほぼ中心側に位置した方が、後方に位置するよりも望ましい。
【００１７】
また、外槽２の上部から吊り下げ支持する引きバネ４は、外槽２の倒れ防止のために設けられているサンスペンション３の補助的な支持機構である。
【００１８】
外枠筐体１の上側内部には、給水電磁弁６、洗剤投入ケース８が設けられる。洗剤投入ケース８は、注水ホース７を介して給水電磁弁６と連通するように接続される。
【００１９】
給水電磁弁６には、給水ホース５が接続される。給水ホース５の先端は水道の蛇口（図示せず）に接続される。
【００２０】
洗濯やすすぎ時には、給水電磁弁６が開放操作され、注水ホース７から洗剤投入ケース８に洗濯やすすぎに必要な水が供給される。
【００２１】
洗剤投入ケース８には、洗濯に必要な洗剤が投入される。
【００２２】
また、すすぎ時に、洗濯物９の仕上がりを良くするための柔軟仕上げ剤が洗剤投入ケース８に設けられた仕上げ剤を溜めるケース部に投入され、必要に応じ外槽２に自動的に投入される。
【００２３】
すなわち、洗濯時に、注水ホース７から供給された水により、洗剤投入ケース８内で洗剤が溶かされ、フレキシブルホース１０を流れ、外槽２の上部に設けた注入口２４から洗浄ドラム槽１１の内部に投入される。
【００２４】
注入口２４は、溶けた洗剤が洗浄ドラム槽１１の入り口から奥まで散布されるような向きに配置されている。
【００２５】
洗浄ドラム槽１１は、外槽２に回動自在に内置される。前側に投入口が設けられた有底円筒形を有する洗浄ドラム槽１１は、前端を外枠筐体１の前側に向け、後端を外枠筐体１の後側に向けるように配置される。
【００２６】
洗浄ドラム槽１１が内置される外槽２も外枠筐体１の前側に向け、後端を外枠筐体１の後側に向けるように配置される。
【００２７】
外槽２と洗浄ドラム槽１１は、円筒形の軸心線が同心になるように置かれ、且つ、洗浄ドラム槽１１の投入口１１ａと外槽２の投入口１１ｂが外枠筐体１の前側に設けられている投入口１１ｃに臨むように配置される。
【００２８】
外槽２と洗浄ドラム槽１１は、投入口１１ｂが設けられている前端側の方を上に、後端側の方を下になるように傾斜させて配置される。この傾き角度（水平線に対する軸心線の角度）θ１は例えば約５度である。本実施例において適宜０〜９度の範囲内で傾き角度θ１を選択できる。
【００２９】
外枠筐体１は、投入口１１ｃを開閉される外蓋１２が備えられる。洗浄ドラム槽１１に洗濯物の出し入れする際に外蓋１２の開閉が行なわれる。
【００３０】
ベローズ２１は、外枠筐体１の投入口１１ｃの口縁部と、外槽２の投入口１１ｂの内縁部に水密的に取付けられる。このゴム（弾性体）で出来ているベローズ２１により、外枠筐体１と外槽２の間の水密は保たれる。
【００３１】
外蓋１２は、内側がベローズ２１に密着するので、外枠筐体１の投入口１１ｃから外部への漏水は生じない。
【００３２】
洗浄ドラム槽１１は、バランサー１３を有する。バランサー１３の内周側が前述した投入口１１ａになっている。このバランサー１３により、脱水時の振動は低減される。
【００３３】
また、洗浄ドラム槽１１は、円筒部に複数の脱水穴１４を有する。脱水時に、洗濯物に含まれている水分が脱水穴１４により遠心力で外槽２内に脱水される。
ＤＣブラシレスモータ１９は、外槽２の後部外面に取付け固定される。このＤＣブラシレスモータ１９は、洗浄ドラム槽１１を回転駆動する駆動源である。
【００３４】
洗浄ドラム槽１１は、円筒部の底側である後端にフランジ１７を有する。フランジ１７に設けた主軸１８は電動機であるＤＣブラシレスモータ１９のロータ側に結合される。こうして、洗浄ドラム槽１１は、駆動源のＤＣブラシレスモータ１９を介して外槽２に回転自在に支持される。
【００３５】
排水路の排水ホース２３は、外槽２の後下部に連通するように設けられる。この排水路には、排水電磁弁２２が設けられる。排水電磁弁２２を開放操作することにより、外槽２に溜まっている洗濯水３０やすすぎ水は、排水ホース２３を通じて機外に排水される。
【００３６】
排水路の排水ホース２３は、外枠ベース２０を貫通して下流側の先端は家屋の排水穴に挿入される。
【００３７】
図２（ａ）は、洗浄ドラム槽１１を投入口１１ｂ側から見た図である。図２（ａ）に示すように、洗浄ドラム槽１１の円筒部には、内周に複数（本実施例では３本）のリフター１６が設けられる。
【００３８】
図２（ｂ）は、洗浄ドラム槽１１を側面から見た図である。図２（ｂ）などに示すように、このリフター１６の軸中心１６ａはドラム回転軸中心線である主軸１８と略平行に配置されている。
【００３９】
図３は、リフター１６を示す図である。図３（ａ）はリフター１６を前側上方から見た斜視図である。図３（ｂ）はリフター１６を後側（背面側）上方から見た斜視図である。図３（ｃ）はリフター１６を前側から見た図である。図３（ｄ）はリフター１６を後側から見た図である。図３（ｅ）はリフター１６を真上から見た図である。図３（ｆ）はリフター１６を側面から見た図である。図３を用いてリフター１６の詳細な説明を行う。
【００４０】
リフター１６は、前側にあって、軸中心１６ａと略垂直方向に沿って略三角形形状若しくは略台形形状の面を形成する前面部１６ｂと、後側（背面側）にあって、軸中心１６ａと略垂直方向に沿って略三角形形状若しくは略台形形状の面を形成する背面部１６ｃと、を備える。更に、リフター１６は、軸中心１６ａと平行であってリフター１６の頂部分に位置する頂部１６ｅと、頂部１６ｅを挟んで対抗する形で左右にそれぞれ配置される側面部１６ｄと、を備える。また、側面部１６ｄは、頂部１６ｅから洗浄ドラム槽１１の面に向かって除々に傾斜する傾斜面を有する。前面部１６ｂと背面部１６ｃの間に、側面部１６ｄと頂部１６ｅとが配置される。
【００４１】
前面部１６ｂにおけるドラム槽回転の周方向の長さ（図３（ｃ）における、略三角形形状若しくは略台形形状を有する前面部１６ｂの底辺部分）１６ｂ-１は、背面部１６ｃのドラム回転の周方向の長さ１６ｃ-１よりも長くしている。リフター１６は、図３（ｅ）に示すように、リフター１６を真上から見た場合、辺１６ｃ-１と辺１６ｂ-１が上底と下底となり、辺１６ｃ-１よりも辺１６ｂ-１の方が長い略台形の形状を有する。
【００４２】
ここで、洗浄ドラム槽１１の傾斜角度が水平に近づくと（例えば、ドラム回転軸中心線である主軸１８と筐体の地面設置面Ｘ０とのなす角度が０°〜９°）、洗濯物が前面側に偏やすくなり、特に収容される洗濯物の量が多くなると、例えば、ドアガラスとバランスリングの間に洗濯物が挟まりやすくなる。その結果、洗い工程や乾燥工程における洗濯物の撹拌が不十分となり、洗いむらや乾燥むらが大きくなり、洗浄・乾燥性能が下がってしまう。
【００４３】
しかし、このような場合であっても、本実施例のリフター１６を用いれば、洗濯物を背面側に移動させやすくなる。
【００４４】
また、前面部１６ｂのドラム槽回転の径方向の高さ１６ｂ−３は、背面部１６ｃのドラム槽回転の径方向の高さ１６ｃ−３よりも高くしている。これにより、さらに洗濯物を背面側に移動させやすくなる。
【００４５】
また、側面部１６ｄは図３（ａ）（ｂ）（ｅ）などに示すように曲面形状を有している。これにより、洗濯物を傷めずに背面側に移動させやすくなる。
【００４６】
また、頂部１６ｅは、後端側に、傾斜が他の部分よりも大きい傾斜部１６ｅ―１を有する。この傾斜部１６ｅ―１により、円筒部の底側である後端に配置されるフランジ１７とリフター１６の間に洗濯物が噛みこんでしまう可能性を低減出来る。
【００４７】
以上のようなリフター１６の形状によって得られる効果について図４を用いて説明する。図４−ａ及び図４−ｂに示すように、ドラム正転時（反時計回り）及びドラム反転時（時計回り）いずれの場合においても衣類は奥（後側）へ移動しやすくなる。これにより、浄ドラム槽１１の傾斜角度が水平に近づく場合であっても、洗濯時の洗いムラや乾燥時の乾きムラを低減することが出来、洗浄性能と乾燥性能を向上させることが出来る。
【００４８】
なお、辺１６ｂ-１と他の辺１６ｂ-２のなす角度αは３０°〜４５°が望ましい。角度αが小さくなればなるほど辺１６ｂ-１は大きくなり、辺１６ｂ-１と辺１６ｃ-１の差が大きくなることで、側面部１６ｄが形成する曲面部分（Ｒ形状）が大きくなるため、洗濯物を背面側により移動させやすくなる。ただし、リフター１６が大きくなりすぎると洗濯容量が減ってしまうため、洗濯容量との関係で適宜種々の大きさを設計すればよい。
【００４９】
洗濯機の運転工程について、図５を用いて説明する。
【００５０】
この運転工程は洗濯物に付着した汚れを落としたり、すすぎで洗剤分をすすいだりリントを除去したりする。また洗濯物に含まれた洗浄水を洗浄ドラム槽１１の回転により脱水穴１４から遠心力で脱水し、排水することを自動的に行う自動洗濯運転工程を示す。
【００５１】
最初に給水電磁弁６がオンして給水Ｓ１０１が行なわれる。給水は、所定の水量まで行われる。
【００５２】
洗いＳ１０２では洗濯に必要な洗濯水が供給されると、ＤＣブラシレスモータ１９が回転して洗浄ドラム槽１１が回され、洗濯が行なわれる。ＤＣブラシレスモータ１９を正逆転するように制御することにより、洗浄ドラム槽１１は正転／逆転を繰返す洗濯運転が行なわれる。
【００５３】
洗いＳ１０２が終了すると、排水電磁弁２２が開かれ、洗濯水は排水ホース２３を通じて機外に排水される（Ｓ１０３）。
【００５４】
排水Ｓ１０３が終了した後、洗濯物に含まれている洗剤分を脱水する脱水（１）Ｓ１０４に移行する。
【００５５】
脱水（１）Ｓ１０４では洗濯槽３を高速回転して、遠心力により洗濯槽３内に開けられた脱水穴１４を通して洗濯物に含まれた洗濯水を脱水する。
【００５６】
脱水（１）Ｓ１０４が終了すると、洗濯物に含まれた洗剤分をすすぐ、すすぎ（１）Ｓ１０６へと移行する。
【００５７】
すすぎ（１）Ｓ１０６は、給水Ｓ１０５が完了してから実行される。すすぎ（１）Ｓ１０６が終了すると、排水Ｓ１０７、脱水（２）Ｓ１０８が行われ、すすぎ（１）と同様に給水Ｓ１０９が行われる。そして、すすぎ（２）Ｓ１１０、排水Ｓ１１１、最終脱水Ｓ１１２を経て全工程が終了する。
【００５８】
洗濯後に乾燥が実行されるようにセットされていると、引き続き乾燥工程Ｓ１１３が行われて終了Ｓ１１４に至る。
【００５９】
ブロック回路図の概要について、図６を引用して説明する。
【００６０】
図６は、洗い、すすぎ、脱水に至るまでの工程を制御するブロック制御回路を示したものである。
【００６１】
制御回路基板９９は、クロックパルス発生手段のタイマー１００、中央処理装置（ＣＰＵ）１０１、メモリ１０２、入力ポート１０３、出力ポート１０４などから構成されている。
【００６２】
中央処理装置１０１は、演算部１０５や制御部１０６を有する。
【００６３】
洗濯機は、中央処理装置６２、タイマー６３およびメモリ６４との間でデータのやりとりをして駆動される。
【００６４】
中央処理装置（ＣＰＵ）１０１は、基本的には制御命令の取り出しと解読、実行指令であるが、具体的には算術演算やメモリ指定アドレス内容の読み出しで制御、入出力装置への指定アドレスの入出力や全自動コースやアニュマル設定のプログラムの制御を行う。
【００６５】
メモリ１０２には、プログラムデータを読み出して書き込みを行う機能を持つＲＡＭ１０７と読み出し専用機能だけを持つＲＯＭ１０８の２種類を備えている。ＲＡＭ１０７は洗濯運転条件に必要なデータを主に記憶して、設定されたプログラムを組む上での作業エリアとして用いる。
【００６６】
ＲＯＭ１０８は、決ったプログラムや固定データを入れ、いつでも同じ処理をする場合に使用する。
【００６７】
入力ポート１０３は、中央処理装置（ＣＰＵ）１０１と入力回路部１０５の間に介在してデータの受け渡しを行う。また、出力ポート１０４は、中央処理装置（ＣＰＵ）１０１と出力駆動回路部１０６の間に介在してデータの受け渡しを行う。
【００６８】
入力回路部１１６には、電源スイッチ１０７、水位センサー１０８、ホールＩＣ１０９、蓋開閉センサー１１０、全自動選択キー１１１、マニュアル設定キー１１２、スタートストップキー１１３、布量センサー１１４、湿度センサー１１５が接続される。
【００６９】
出力駆動回路部１１７には、ＤＣブラシレスモータ１９、給水電磁弁６、排水電磁弁２２、蓋ロックソレノイド４０、終了ブザー３１などが接続される。
【００７０】
円筒状の洗浄ドラム槽１１は、回りに多数の脱水穴１４を有し、洗濯物９の遠心脱水を行う。洗浄ドラム槽１１の側板は、投入口１１ａを有する。この投入口１１ａより洗濯物９は出し入れが行われる。
【図１】
0006637824.tif 000002
【図２（ａ）】
0006637824.tif 000003
【図２（ｂ）】
0006637824.tif 000004
【図３（ａ）】
0006637824.tif 000005
【図３（ｂ）】
0006637824.tif 000006
【図３（ｃ）】
0006637824.tif 000007
【図３（ｄ）】
0006637824.tif 000008
【図３（ｅ）】
0006637824.tif 000009
【図３（ｆ）】
0006637824.tif 000010
【図４】
0006637824.tif 000011
【図５】
0006637824.tif 000012
【図６】
0006637824.tif 000013